(57)【要約】【課題】全体の薄型化が図られ、プラグコネクタの差込部が挿入される嵌合部を形成する部分の変形を回避できるもとで、プラグコネクタのグラウンド接続部を適正にグラウンド接続できる、ソケットコネクタとして用い得るコネクタ装置を提供する。【解決手段】プラグコネクタの一部が挿入される嵌合部１４を形成する絶縁ハウジング１２と、嵌合部内でプラグコネクタの一部における接続端子部に押圧接触する導電コンタクト１５と、嵌合部内でプラグコネクタの一部を導電コンタクトとで挟み、当該一部におけるグラウンド接続部に接触する導電性ばね部１７と、相対向する上側及び下側平板状部１３ａ，１３ｂを有して絶縁ハウジングを覆う導電性シェル１３とを備え、導電性ばね部が、導電性シェルの上側平板状部から伸びる連結部１８によって連結されて上側平板状部と一体的に形成され、連結部から嵌合部内へと伸びるものとされる。【選択図】図２
2008123933.tif 000002
【特許請求の範囲】
【請求項１】
プラグコネクタの一部が開口端を通じて挿入される嵌合部を形成する絶縁ハウジングと、
上記絶縁ハウジングに配列配置されて設けられ、各々が、上記嵌合部内に配されて該嵌合部に挿入されるプラグコネクタの一部に設けられた接続端子部に押圧力を作用させて接触する押圧接触部，上記絶縁ハウジングに固定される固定部及び上記絶縁ハウジングの外方に伸びる端子部を有するものとされる複数の導電コンタクトと、
上記絶縁ハウジング内に配列配置されて、上記嵌合部内において該嵌合部に挿入されるプラグコネクタの一部を上記複数の導電コンタクトの押圧接触部とで挟み、各々が、上記嵌合部内において上記プラグコネクタの一部に設けられたグラウンド接続部に接触するものとされる複数の導電性ばね部と、
相対向する第１及び第２の平板状部を有し、上記第１の平板状部が上記複数の導電コンタクト側に配されるとともに上記第２の平板状部が上記複数の導電性ばね部側に配されるもとで、該第１及び第２の平板状部により上記嵌合部を挟む状態をもって上記絶縁ハウジングを部分的もしくは全体的に覆う導電性シェルと、
を備えて成り、
上記複数の導電性ばね部が、上記導電性シェルの上記第１の平板状部から伸びる連結部によって連結されて上記第１の平板状部と一体的に形成され、上記連結部から上記嵌合部内へと伸びるものとされることを特徴とするコネクタ装置。
【請求項２】
上記連結部が、上記絶縁ハウジングにおける上記嵌合部の開口端側とは反対側の端縁部の近傍に位置し、上記複数の導電性ばね部の各々が上記端縁部の近傍から上記嵌合部の開口端に向かう方向に伸びることを特徴とする請求項１記載のコネクタ装置。
【請求項３】
上記複数の導電性ばね部が、上記複数の導電コンタクトの押圧接触部が上記プラグコネクタの一部に作用させる押圧力を、該プラグコネクタの一部を介して受ける位置に配されることを特徴とする請求項１記載のコネクタ装置。
【請求項４】
上記複数の導電性ばね部の各々が、上記複数の導電コンタクトの押圧接触部のうちの二つの間に対向する位置に設けられることを特徴とする請求項１記載のコネクタ装置。
【請求項５】
上記導電性シェルが、上記第１及び第２の平板状部の少なくとも一方に、上記絶縁ハウジングに係合する係止部が設けられたものとされることを特徴とする請求項１記載のコネクタ装置。
【発明の詳細な説明】
【技術分野】
【０００１】
本願の特許請求の範囲に記載された発明は、ケーブルやフレキシブル印刷配線基板（ＦＰＣ）等が連結されたプラグコネクタの差込接続に供される、ソケットコネクタとして用いられるコネクタ装置に関する。
【背景技術】
【０００２】
複数の比較的細いケーブルや比較的小型なフレキシブル印刷配線基板を、各種の電気部品が取り付けられるソリッド印刷配線基板に接続するにあたっては、複数のケーブルあるいはフレキシブル印刷配線基板が連結されるプラグコネクタと、ソリッド印刷配線基板との電気的接続がなされ、プラグコネクタが差込接続されるソケットコネクタと、が用いられることが多い。プラグコネクタには、複数のケーブル等との電気的接続がなされて配列配置された複数の接続端子部と共通電位（接地電位）が与えられるグラウンド接続部とが、一対の相互対向面に夫々配された差込部が設けられる。また、ソケットコネクタには、プラグコネクタに設けられた差込部が挿入される嵌合部が設けられ、その嵌合部内において、各々の一端部が端子部とされてソリッド印刷配線基板に接続されるもとで配列配置された複数の導電コンタクトが、プラグコネクタの差込部における複数の接続端子部に夫々押圧接触し、また、接触ばね部等として形成されるグラウンド連結部が、複数の導電コンタクトと対向する位置に配されて、プラグコネクタの差込部におけるグラウンド接続部に接触する。
【０００３】
ソケットコネクタは、複数の導電コンタクトの夫々の一部を固定する絶縁ハウジングと、外部からの電磁波ノイズ対策のため絶縁ハウジングを部分的もしくは全体的に覆う金属板材製の導電性シェルと、を備えて構成されて、絶縁ハウジングにその外部に通じる開口端を有した嵌合部が形成される。そして、このようなソケットコネクタにあっては、構成部品点数を少なくし、かつ、プラグコネクタの差込部におけるグラウンド接続部を確実にグラウンド連結できるようにすべく、絶縁ハウジングを覆う導電性シェルと接触ばね部等として形成されるグラウンド連結部とを、別個の部材とするのでなく、一体化して構成することが、従来において提案されている（例えば、特許文献１参照。）。
【０００４】
このような従来提案されているソケットコネクタにあっては、絶縁ハウジングを覆う導電性シェルが、プラグコネクタの差込部が挿入されるべく絶縁ハウジングに形成された嵌合部を挟んで相対向する第１及び第２の部分を有するものとされる。そして、導電性シェルの第１の部分が、嵌合部内において配列配置される複数の導電コンタクト側に配され、また、導電性シェルの第２の部分が、嵌合部内において複数の導電コンタクトに対向する位置をとるグラウンド連結部側に配される。それゆえ、絶縁ハウジングに形成された嵌合部にプラグコネクタの差込部が挿入されたとき、嵌合部内において、プラグコネクタの差込部における複数の接続端子部に押圧接触する複数の導電コンタクトが当該接続端子部に及ぼす押圧力は、導電性シェルの第１の部分から導電性シェルの第２の部分に向かう方向に作用することになる。
【０００５】
斯かるもとで、導電性シェルと一体化されて設けられるグラウンド連結部は、接触ばね部として導電性シェルの第２の部分に形成される。その際、グラウンド連結部を成す接触ばね部は、導電性シェルの第２の部分を形成する金属板材に折曲げ加工が施されて得られる、導電性シェルの第１の部分に向かう方向に隆起して、絶縁ハウジングに形成された嵌合部内に配されるものとされる。即ち、導電性シェルと一体化されて設けられるグラウンド連結部を成す接触ばね部は、導電性シェルの第２の部分に、導電性シェルの第１の部分に向かう方向に隆起するものとして形成されて、絶縁ハウジングに形成された嵌合部内に配されるのである。
【０００６】
【特許文献１】特開２００６−１７２８２４号公報（第３，４頁、図１，２）
【発明の開示】
【発明が解決しようとする課題】
【０００７】
上述のように、絶縁ハウジングを覆う導電性シェルが、プラグコネクタの差込部が挿入されるべく絶縁ハウジングに形成された嵌合部を挟んで相対向する第１及び第２の部分を有し、グラウンド連結部を成す接触ばね部が、導電性シェルの第２の部分に、導電性シェルの第１の部分に向かう方向に隆起するものとして形成されて嵌合部内に配される、従来のソケットコネクタにあっては、構成部品点数を少なくすることは果たされていると言える。しかしながら、斯かる従来のソケットコネクタは、その反面、次のような不都合を伴っている。
【０００８】
先ず、導電性シェルの第２の部分に形成されるグラウンド連結部を成す接触ばね部が、導電性シェルの第１の部分に向かう方向に隆起するものとされて、絶縁ハウジングに形成された嵌合部内に配されるので、嵌合部内において、配列配置された複数の導電コンタクトとグラウンド連結部を成す接触ばね部との間に、プラグコネクタの差込部の挿入に必要とされるスペースを確保するため、導電性シェルにおける第１の部分と第２の部分との間隔を大とすることが必要とされ、その結果、全体の厚みが増して薄型化が図られないことになってしまう。
【０００９】
また、グラウンド連結部を成す接触ばね部が導電性シェルの第２の部分に形成されるので、絶縁ハウジングに形成された嵌合部にプラグコネクタの差込部が挿入されたとき、嵌合部内において、プラグコネクタの差込部における複数の接続端子部に押圧接触する複数の導電コンタクトが当該接続端子部に及ぼす、導電性シェルの第１の部分から導電性シェルの第２の部分に向かう方向の押圧力が、プラグコネクタの差込部を介し、さらに、グラウンド連結部を成す接触ばね部を介して、導電性シェルの第２の部分に作用する。それにより、導電性シェルの第２の部分及びそれに沿う絶縁ハウジングの部分が、嵌合部の外方に膨らみ出る変形を生じてしまう虞がある。このような変形が生じると、グラウンド連結部を成す接触ばね部と嵌合部に挿入されたプラグコネクタの差込部におけるグラウンド接続部との電気的接続が、適正に行われなくなるという支障がまねかれる。
【００１０】
さらに、上述のような導電性シェルの第２の部分及びそれに沿う絶縁ハウジングの部分の変形を防ぐべく、導電性シェルの第２の部分及びそれに沿う絶縁ハウジングの部分の夫々の肉厚を大として機械的強度を増大させる場合には、ソケットコネクタの全体の厚みが一層大とされることになってしまう。
【００１１】
斯かる点に鑑み、本願の特許請求の範囲に記載された発明は、導電性シェルにより部分的もしくは全体的に覆われる絶縁ハウジングにプラグコネクタの一部が挿入される嵌合部が設けられ、その嵌合部内において、それに挿入されたプラグコネクタの一部における接続端子部に、絶縁ハウジングに固定された複数の導電コンタクトが押圧接触するとともに、当該プラグコネクタの一部におけるグラウンド接続部に、導電性シェルと一体化された複数のグラウンド連結部を成す導電性ばね部が接触する構造を有したもとで、全体の薄型化が図られるとともとに、嵌合部内においてプラグコネクタの一部における接続端子部に押圧接触する複数の導電コンタクトが当該接続端子部に及ぼす押圧力の作用を受けて、導電性シェルの部分及びそれに沿う絶縁ハウジングの部分が不所望な変形を生じる事態を回避することができる、ソケットコネクタとして用いられるコネクタ装置を提供する。
【課題を解決するための手段】
【００１２】
本願の特許請求の範囲における請求項１から請求項５までのいずれかに記載された発明（以下、本発明という。）に係るコネクタ装置は、プラグコネクタの一部が開口端を通じて挿入される嵌合部を形成する絶縁ハウジングと、絶縁ハウジングに配列配置されて設けられ、各々が、嵌合部内に配されて嵌合部に挿入されるプラグコネクタの一部に設けられた接続端子部に押圧力を作用させて接触する押圧接触部，絶縁ハウジングに固定される固定部及び絶縁ハウジングの外方に伸びる端子部を有するものとされる複数の導電コンタクトと、絶縁ハウジング内に配列配置されて、嵌合部内においてその嵌合部に挿入されるプラグコネクタの一部を複数の導電コンタクトの押圧接触部とで挟み、各々が、嵌合部内においてプラグコネクタの一部に設けられたグラウンド接続部に接触するものとされる複数の導電性ばね部と、相対向する第１及び第２の平板状部を有し、第１の平板状部が複数の導電コンタクト側に配されるとともに第２の平板状部が複数の導電性ばね部側に配されるもとで、第１及び第２の平板状部により嵌合部を挟む状態をもって絶縁ハウジングを部分的もしくは全体的に覆う導電性シェルとを備えて成り、複数の導電性ばね部が、導電性シェルの第１の平板状部から伸びる連結部によって連結されて第１の平板状部と一体的に形成され、連結部から嵌合部内へと伸びるものとされる。
【００１３】
特に、本発明に係るコネクタ装置のうちの、請求項２に記載されたものにあっては、導電性シェルの第１の平板状部から伸びる連結部が、絶縁ハウジングにおける嵌合部の開口端側とは反対側の端縁部の近傍に位置し、複数の導電性ばね部の各々が当該端縁部の近傍から嵌合部の開口端に向かう方向に伸びるものとされる。
【００１４】
上述のように構成される本発明に係るコネクタ装置にあっては、絶縁ハウジングに形成された嵌合部内において、複数の導電コンタクトの夫々の押圧接触部が、挿入されたプラグコネクタの一部に設けられた接続端子部に押圧力を作用させて接触するとともに、複数の導電性ばね部が、挿入されたプラグコネクタの一部を複数の導電コンタクトの押圧接触部とで挟み、それらの各々が、プラグコネクタの一部に設けられたグラウンド接続部に接触する。そして、斯かる嵌合部を、相対向する第１及び第２の平板状部を有して絶縁ハウジングを部分的もしくは全体的に覆う導電性シェルが、第１の平板状部が絶縁ハウジングにおける複数の導電コンタクト側に配されるとともに第２の平板状部が絶縁ハウジングにおける複数の導電性ばね部側に配されるもとで、第１及び第２の平板状部により挟む。このようなもとで、複数の導電性ばね部は、絶縁ハウジングにおける複数の導電コンタクト側に配された導電性シェルの第１の平板状部から伸びる連結部により連結されて第１の平板状部と一体的に形成され、連結部から嵌合部内へと伸びてグラウンド連結部を成すものとされる。
【００１５】
導電性シェルの第１の平板状部から伸びる連結部は、例えば、請求項２に記載された本発明に係るコネクタ装置の場合のように、絶縁ハウジングにおける嵌合部の開口端側とは反対側の端縁部の近傍に位置するものとされ、複数の導電性ばね部の各々は、当該端縁部の近傍から嵌合部の開口端に向かう方向に伸びる。
【００１６】
このような本発明に係るコネクタ装置は、例えば、ソリッド印刷配線基板に取り付けられて、各導電コンタクトがソリッド印刷配線基板における信号用接続部に接続されるとともに、導電性ばね部が一体的に形成される導電性シェルに設けられたグラウンド端子部がソリッド印刷配線基板におけるグラウンド接続部に接続されたもとで、プラグコネクタの差込接続に供されるソケットコネクタとして用いられる。その際、プラグコネクタにおけるグラウンド接続部が、導電性ばね部及び導電性シェルを介して、ソリッド印刷配線基板におけるグラウンド接続部に連結される。
【発明の効果】
【００１７】
上述の本発明に係るコネクタ装置にあっては、相対向する第１及び第２の平板状部を有して絶縁ハウジングを部分的もしくは全体的に覆う導電性シェルが、第１の平板状部が絶縁ハウジングにおける複数の導電コンタクト側に配されるとともに第２の平板状部が絶縁ハウジングにおける複数の導電性ばね部側に配されるもとで、第１及び第２の平板状部により絶縁ハウジングに形成された嵌合部を挟むものとされ、複数の導電性ばね部が、導電性シェルの第１の平板状部から伸びる連結部により連結されて第１の平板状部と一体的に形成され、連結部から嵌合部内へと伸びるものとされるので、嵌合部内において、配列配置された複数の導電コンタクトの押圧接触部とグラウンド連結部を成す複数の導電性ばね部との間に、プラグコネクタの一部の挿入に必要とされるスペースを確保するにあたって、導電性シェルにおける第１の平板状部と第２の平板状部との間隔を大とすることが必要とされず、その結果、全体の薄型化が図られることになる。
【００１８】
また、グラウンド連結部を成す複数の導電性ばね部が、絶縁ハウジングにおける複数の導電コンタクト側及び複数の導電性ばね部側に夫々配されるもとで嵌合部を挟む導電性シェルの第１の平板状部及び第２の平板状部のうちの、第１の平板状部と一体的に形成され、第１の平板状部から伸びる連結部により連結されて、連結部から嵌合部内へと伸びるものとされるので、嵌合部にプラグコネクタの一部が挿入されたとき、その嵌合部内において、プラグコネクタの一部における接続端子部に押圧接触する複数の導電コンタクトの押圧接触部がプラグコネクタの一部に及ぼす押圧力は、そのプラグコネクタの一部を介して、複数の導電性ばね部に作用し、さらに、複数の導電性ばね部と連結部とを介して、導電性シェルの第１の平板状部に作用することになる。それにより、導電性シェルの第２の平板状部及びそれに沿う絶縁ハウジングの部分が嵌合部の外方に膨らみ出る変形を生じてしまう虞がなく、導電性ばね部と嵌合部に挿入されたプラグコネクタの一部におけるグラウンド接続部との電気的接続が適正に行われる。
【発明を実施するための最良の形態】
【００１９】
本発明を実施するための最良の形態は、以下に述べられる本発明についての実施例をもって説明される。
【実施例】
【００２０】
図１（斜視図），図２（分解斜視図），図３（平面図）及び図４（正面図）は、本発明に係るコネクタ装置の一例を示す。
【００２１】
図１〜図４において、本発明に係るコネクタ装置の一例を成すコネクタ装置１１は、プラグコネクタの差込接続に供されるソケットコネクタとして用いられるものとされており、合成樹脂等の絶縁材料によって形成された絶縁ハウジング１２、及び、外部からの電磁波ノイズ対策のため絶縁ハウジング１２の外面部を部分的に（一部分を残して略全体的に）覆うものとされた、金属製の導電性シェル１３を備えている。絶縁ハウジング１２は、後述されるプラグコネクタの差込部が開口端１４ａを通じて挿入される嵌合部１４を形成している。即ち、嵌合部１４は、開口端１４ａを有し、その開口端１４ａにおいて絶縁ハウジング１２の外部に通じるものとして、絶縁ハウジング１２に形成されているのである。
【００２２】
絶縁ハウジング１４には、図２に示されるような複数の導電コンタクト１５が配列配置されて設けられる。図２にあっては、コネクタ装置１１を構成する絶縁ハウジング１２，導電性シェル１３及び複数の導電コンタクト１５が、分解された状態をもって示されている。
【００２３】
複数の導電コンタクト１５の各々は、図２に示されるように、押圧接触部１５ａ，固定部１５ｂ及び端子部１５ｃを有するものとされる。押圧接触部１５ａは、図４に示されるように、絶縁ハウジング１２における嵌合部１４の図４において上方側となる内壁面部に形成される複数の溝部１６のいずれかに対応して、図４における上下方向に移動可能とされて配される。また、固定部１５ｂは、溝部１６の対向側壁部に係合し、それによって絶縁ハウジング１２に固定される。さらに、端子部１５ｃは、絶縁ハウジング１２に固定された固定部１５ｂから、図３に示されるように、絶縁ハウジング１２の外方に伸びるものとされ、例えば、コネクタ装置１１が取り付けられるソリッド印刷配線基板に設けられる信号用接続部に半田付け等によって接続される。
【００２４】
絶縁ハウジング１２における嵌合部１４の図４において上方側となる内壁面部に形成される複数の溝部１６は、互いに略平行に伸びるものとされており、従って、それらに夫々対応して配される複数の導電コンタクト１５の押圧接触部１５ａも、絶縁ハウジング１２における嵌合部１４内において、互いに略平行に伸びて配列配置されていることになる。
【００２５】
導電性シェル１３は、図２において上方側となる第１の平板状部１３ａ（以下、上側平板状部１３ａと呼ぶ。）と図２において下方側となる第２の平板状部１３ｂ（以下、下側平板状部１３ｂと呼ぶ。）とを、相対向するものとして有しており、図１に示されるように、上側平板状部１３ａと下側平板状部１３ｂとによって絶縁ハウジング１２に形成された嵌合部１４を挟む状態をもって、絶縁ハウジング１２を覆っている。そして、導電性シェル１３における上側平板状部１３ａには、図２に示されるような複数の導電性ばね部１７が一体的に形成されている。
【００２６】
複数の導電性ばね部１７は、導電性シェル１３における上側平板状部１３ａの、絶縁ハウジング１２における嵌合部１４の開口端１４ａ側とは反対側の端縁部に沿う、側縁部１３Ｒから伸びる連結部１８によって連結されていて、導電性ばね部１７の夫々は、連結部１８から絶縁ハウジング１２における開口端１４側に向かう方向に伸び、絶縁ハウジング１２に形成された嵌合部１４内に配される。そして、図１及び図４に示されるように、嵌合部１４内においては、複数の導電性ばね部１７の各々が、絶縁ハウジング１２における嵌合部１４の図１及び図４において下方側となる内壁面部に形成される複数の溝部１９のいずれかに対応し、一部分が当該溝部１９に係合して絶縁ハウジング１２に固定されるとともに、他の部分が図１及び図４における上下方向に移動可能とされて配される。
【００２７】
絶縁ハウジング１２における嵌合部１４の図４において下方側となる内壁面部に形成される複数の溝部１９は、互いに略平行に伸びるものとされており、従って、それらに夫々対応するものとされる複数の導電性ばね部１７も、絶縁ハウジング１２における嵌合部１４内において、互いに略平行に伸びて配列配置されていることになる。
【００２８】
このように、導電性シェル１３における上側平板状部１３ａの側縁部１３Ｒから伸びて複数の導電性ばね部１７を連結するる連結部１８は、絶縁ハウジング１２における嵌合部１４の開口端１４ａ側とは反対側の端縁部の近傍に位置しており、それにより、複数の導電性ばね部１７の各々は、斯かる絶縁ハウジング１２における端縁部の近傍の位置から、絶縁ハウジング１２における嵌合部１４の開口端１４ａに向かう方向に伸びて、嵌合部１４内に配されることになる。
【００２９】
また、図２に示されるように、導電性シェル１３における上側平板状部１３ａの、絶縁ハウジング１２における嵌合部１４の開口端１４ａ側の端縁部に沿う側縁部１３Ｆからは、複数の係止部２０が、絶縁ハウジング１２における嵌合部１４の開口端１４ａ側に突出している。絶縁ハウジング１２における嵌合部１４の開口端１４ａ側の端縁部には、複数の係止部２０に対応する位置に複数の貫通孔２１が形成されており、複数の係止部２０は複数の貫通孔２１に夫々係合する。さらに、図２に示されるように、導電性シェル１３における下側平板状部１３ｂの、絶縁ハウジング１２における嵌合部１４の開口端１４ａ側の端縁部に沿う側縁部からも、複数の係止部２２が、絶縁ハウジング１２における嵌合部１４の開口端１４ａ側に突出している。図１に示されるように、絶縁ハウジング１２における嵌合部１４の開口端１４ａ側の端縁部には、複数の係止部２２に対応する位置に複数の貫通孔２３が形成されており、複数の係止部２２は複数の貫通孔２３に夫々係合する。
【００３０】
このように、導電性シェル１３に設けられた複数の係止部２０及び２２が、絶縁ハウジング１２に設けられた貫通孔２１及び２３に夫々係合することにより、導電性シェル１３が絶縁ハウジング１２に係止される状態が維持される。
【００３１】
図４における領域Ｐを拡大してあらわす図５において明瞭に示されるように、絶縁ハウジング１２に形成された嵌合部１４内において、絶縁ハウジング１２における内壁面部に形成される複数の溝部１６に夫々対応して配列配置される複数の導電コンタクト１５の押圧接触部１５ａ、及び、絶縁ハウジング１２における内壁面部に形成される複数の溝部１９に夫々対応して配列配置される複数の導電性ばね部１７は、各々の配列方向が互いに平行なものとされており、夫々が所定の間隔をおいて配されている。そして、複数の導電性ばね部１７の夫々は、複数の導電コンタクト１５の押圧接触部１５ａのうちの二つの間に対向する位置に設けられたものとされている。
【００３２】
図５におけるVI−VI線断面をあらわす図６に示されるように、上述のようにして、絶縁ハウジング１２に形成された嵌合部１４内に複数の導電コンタクト１５の押圧接触部１５ａと複数の導電性ばね部１７とが配されたもとにおいて、相対向する上側平板状部１３ａ及び下側平板状部１３ｂを有して絶縁ハウジング１２を部分的に覆う導電性シェル１３は、上側平板状部１３ａが絶縁ハウジング１２における複数の導電コンタクト１５側に配されるとともに下側平板状部１３ｂが絶縁ハウジング１２における複数の導電性ばね部１７側に配されるもとで、上側平板状部１３ａ及び下側平板状部１３ｂにより絶縁ハウジング１２に形成された嵌合部１４を挟むものとされている。そして、絶縁ハウジング１２における複数の導電コンタクト１５側に配された導電性シェル１３の上側平板状部１３ａから伸びる連結部１８により連結されて上側平板状部１３ａと一体的に形成された複数の導電性ばね部１７は、夫々が絶縁ハウジング１２における嵌合部１４の開口端１４ａ側とは反対側の端縁部の近傍に位置する連結部１８から嵌合部１４内へと伸びている。
【００３３】
上述のような本発明に係るコネクタ装置の一例であるコネクタ装置１１には、例えば、図７に示されるプラグコネクタ３１が差込接続される。プラグコネクタ３１は、合成樹脂等の絶縁材料によって形成され、一部が差込部３３を成すものとされた絶縁基体３２、及び、外部からの電磁波ノイズ対策のため、絶縁基体３２の外面部を、差込部３３及び他の一部を除いて、略全体的に覆うものとされた、金属製の導電性シェル３４を備えている。絶縁基体３２には、複数の導電コンタクト３５が配列配置されており、複数の導電コンタクト３５の夫々の一端部側は、絶縁基体３２の一部が成す差込部３３の先端部まで伸びて、接続端子部３６を形成している。それにより、差込部３３には、複数の接続端子部３６が配列配置されている。
【００３４】
また、複数の導電コンタクト３５の夫々の他端部側は、絶縁基体３２上において同軸ケーブル３８の中心導体３９が、例えば、半田付けにより接続されるケーブル接続部３７を形成している。それにより、絶縁基体３２上において、複数のケーブル接続部３７が配列配置されていることになり、それらに複数の同軸ケーブル３８の中心導体３９が夫々接続されている。複数の同軸ケーブル３８の夫々は、絶縁基体３２における差込部３３とは反対側から、プラグコネクタ３１の外部へと伸びている。
【００３５】
導電性シェル３４は、絶縁基体３２上において配列配置された複数のケーブル接続部３７とそれらに夫々接続された複数の同軸ケーブル３８の中心導体３９とを覆って広がる上方平板状部３４ａ，差込部３３を成す部分を含めた絶縁基体３２の底面部を略全面的に覆う下方平板状部３４ｂ、及び、絶縁基体３２における差込部３３とは反対側において上方平板状部３４ａと下方平板状部３４ｂとを連結する連結部３４ｃを有するものとして構成されている。そして、導電性シェル３４の下方平板状部３４ｂには、複数の同軸ケーブル３８のグラウンド導体（接地導体）４０が、例えば、半田付けにより接続されている。斯かる導電性シェル３４の下方平板状部３４ｂは、それにおける一部である、絶縁基体３２における差込部３３を成す部分の底面部を覆う部分が、プラグコネクタ３１における差込部３３に設けられたグラウンド接続部４１を形成するものとされている。
【００３６】
このようなプラグコネクタ３１は、コネクタ装置１１に差込接続されるにあたっては、先ず、図７に示されるように、その差込部３３が、コネクタ装置１１における絶縁ハウジング１２に形成された嵌合部１４の開口端１４ａに対向するものとなる位置をとるものとされる。
【００３７】
次に、プラグコネクタ３１もしくはコネクタ装置１１が、図７に示される状態から両者が相互に近接するように相対的に移動せしめられて、図８に示されるように、コネクタ装置１１における嵌合部１４に、プラグコネクタ３１における差込部３３が挿入される。
【００３８】
このとき、コネクタ装置１１における嵌合部１４内に配列配置された複数の導電コンタクト１５の押圧接触部１５ａの夫々が、プラグコネクタ３１における差込部３３に設けられた複数の接続端子部３６のうちの対応するものに押圧力を作用させて接触する。その際、導電コンタクト１５の押圧接触部１５ａは、プラグコネクタ３１における差込部３３により、絶縁ハウジング１２の内壁面部に設けられた溝部１６内において図８における上方に押し動かされる状態とされる。そして、プラグコネクタ３１に接続された複数の同軸ケーブル３８の夫々の中心導体３９が、プラグコネクタ３１の導電コンタクト３５を通じて、コネクタ装置１１の導電コンタクト１５に連結される。
【００３９】
また、それとともに、コネクタ装置１１における嵌合部１４内に配列配置された複数の導電性ばね部１７の夫々が、プラグコネクタ３１における差込部３３に設けられたグラウンド接続部４１に接触する。その際、導電性ばね部１７は、プラグコネクタ３１における差込部３３により、絶縁ハウジング１２の内壁面部に設けられた溝部１９内において図８における下方に押し動かされる状態とされる。そして、プラグコネクタ３１に接続された複数の同軸ケーブル３８の夫々のグラウンド導体４０が、プラグコネクタ３１のグラウンド接続部４１を通じて、コネクタ装置１１の導電性ばね部１７に連結される。それゆえ、コネクタ装置１１における複数の導電性ばね部１７は、コネクタ装置１１におけるグラウンド連結部を成していることになる。
【００４０】
このようにして、コネクタ装置１１における嵌合部１４内に配列配置された複数の導電コンタクト１５の押圧接触部１５ａは、プラグコネクタ３１における差込部３３が嵌合部１４に挿入されるとき、嵌合部１４内において、挿入されるプラグコネクタ３１における差込部３３に、導電性シェル３４における上方平板状部３４ａ側から下方平板状部３４ｂ側に向かう方向の押圧力を作用させるものとなり、また、コネクタ装置１１における嵌合部１４内に配列配置されたグラウンド連結部を成す複数の導電性ばね部１７は、プラグコネクタ３１における差込部３３が嵌合部１４に挿入されるとき、嵌合部１４内において、挿入されるプラグコネクタ３１における差込部３３を複数の導電コンタクト１５の押圧接触部１５ａとで挟むものとなる。
【００４１】
斯かる際、複数の導電性ばね部１７は、導電性シェル１３の上側平板状部１３ａから伸びる連結部１８により連結されて上側平板状部１３ａと一体的に形成され、連結部１８から嵌合部１４内へと伸びるものとされているので、嵌合部１４内において、配列配置された複数の導電コンタクト１５の押圧接触部１５ａとグラウンド連結部を成す複数の導電性ばね部１７との間に、プラグコネクタ３１の差込部３３の挿入に必要とされるスペースを確保するにあたって、導電性シェル１３における上側平板状部１３ａと下側平板状部１３ｂとの間隔を大とすることが必要とされず、その結果、コネクタ装置１１全体の薄型化を図ることができることになる。
【００４２】
また、プラグコネクタ３１における差込部３３がコネクタ装置１１における絶縁ハウジング１２に形成された嵌合部１４に挿入されたもとにあっては、嵌合部１４内において、プラグコネクタ３１における差込部３３に設けられた複数の接続端子部３６に接触する複数の導電コンタクト１５の押圧接触部１５ａが、プラグコネクタ３１における差込部３３に、複数の導電性ばね部１７及び導電性シェル１３の下側平板状部１３ｂに向かう方向の押圧力を及ぼすことになる。このとき、プラグコネクタ３１における差込部３３に設けられたグラウンド接続部４１に接触する複数の導電性ばね部１７が、導電性シェル１３の上側平板状部１３ａから伸びる連結部１８により連結されて上側平板状部１３ａと一体的に形成され、連結部１８から嵌合部１４内へと伸びるものとされているので、複数の導電コンタクト１５の押圧接触部１５ａがプラグコネクタ３１の差込部３３に及ぼす押圧力は、プラグコネクタ３１の差込部３３を介して、複数の導電性ばね部１７に作用し、さらに、複数の導電性ばね部１７と連結部１８とを介して、導電性シェル３１の上側平板状部１３ａに作用することになる。
【００４３】
さらに、それに加えて、複数の導電コンタクト１５の押圧接触部１５ａと複数の接触ばね部１７とは、図５に示されるように、複数の導電性ばね部１７の夫々が複数の導電コンタクト１５の押圧接触部１５ａのうちの二つの間に対向する位置に設けられていることになる位置関係を有している。その結果、複数の導電コンタクト１５の押圧接触部１５ａがプラグコネクタ３１の差込部３３に複数の接続端子部３６側から及ぼす押圧力と、複数の接触ばね部１７がプラグコネクタ３１の差込部３３にグラウンド接続部４１側から及ぼす押圧力とが相殺される。
【００４４】
その結果、嵌合部１４内において、導電コンタクト１５の押圧接触部１５ａが、プラグコネクタ３１における差込部３３に及ぼす、複数の導電性ばね部１７及び導電性シェル１３の下側平板状部１３ｂに向かう方向の押圧力によって、導電性シェル１３の下側平板状部１３ｂ及びそれに沿う絶縁ハウジング１２の部分が嵌合部１４の外方に膨らみ出る変形を生じてしまうという虞がなく、グラウンド連結部を成す複数の導電性ばね部１７と嵌合部１４に挿入されたプラグコネクタ３１の差込部３３に設けられたグラウンド接続部４１との電気的接続が適正に行われることになる。
【００４５】
上述の図１〜図４に示される本発明に係るコネクタ装置の一例であるコネクタ装置１１にあっては、導電性シェル１３が絶縁ハウジング１２の外面部を部分的に覆うものとされているが、本発明に係るコネクタ装置にあっては、導電性シェル１３に相当する導電性シェルが、絶縁ハウジング１２に相当する絶縁ハウジングの外面部を全体的に覆うものとされてもよい。
【産業上の利用可能性】
【００４６】
以上のような本発明に係るコネクタ装置は、例えば、ソリッド印刷配線基板に取り付けられたもとで、プラグコネクタの差込接続に供されるソケットコネクタとして用いることができ、全体の薄型化が図られるとともとに、プラグコネクタの一部が挿入される嵌合部が形成される部分の不所望な変形が回避されて、プラグコネクタにおけるグラウンド接続部をグラウンド連結部に適正に連結することができるものとして、様々な電子機器等に広く適用され得るものである。
【図面の簡単な説明】
【００４７】
【図１】本発明に係るコネクタ装置の一例を示す斜視図である。
【図２】本発明に係るコネクタ装置の一例を示す分解斜視図である。
【図３】本発明に係るコネクタ装置の一例を示す平面図である。
【図４】本発明に係るコネクタ装置の一例を示す正面図である。
【図５】図４に示される本発明に係るコネクタ装置の一例における領域Ｐを拡大して示す拡大図である。
【図６】図５におけるVI−VI線断面をあらわす断面図である。
【図７】本発明に係るコネクタ装置の一例とそれに差込接続されるプラグコネクタの一例との関係を示す断面図である。
【図８】本発明に係るコネクタ装置の一例にプラグコネクタの一例が差込接続された状態を示す断面図である。
【符号の説明】
【００４８】
１１・・・コネクタ装置，  １２・・・絶縁ハウジング，  １３，３４・・・導電性シェル，  １３ａ・・・上側平板状部，  １３ｂ・・・下側平板状部，  １４・・・嵌合部，  １４ａ・・・開口端，  １５，３５・・・導電コンタクト，  １５ａ・・・押圧接触部，  １５ｂ・・・固定部，  １５ｃ・・・端子部，  １６，１９・・・溝部，  １７・・・導電性ばね部，  １８・・・連結部，  ２０，２２・・・係止部，  ２１，２３・・・貫通孔，  ３１・・・プラグコネクタ，  ３２・・・絶縁基体，  ３３・・・差込部，  ３６・・・接続端子部，  ３７・・・ケーブル接続部，  ３８・・・同軸ケーブル，  ３９・・・中心導体，  ４０・・・グラウンド導体，  ４１・・・グラウンド接続部
【図１】
2008123933.tif 000003
【図２】
2008123933.tif 000004
【図３】
2008123933.tif 000005
【図４】
2008123933.tif 000006
【図５】
2008123933.tif 000007
【図６】
2008123933.tif 000008
【図７】
2008123933.tif 000009
【図８】
2008123933.tif 000010